【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  所定数のスロットからなり第１のフレーム長Ｌ１を持つ第１のフレームを第１の特定数伝送するのに要する期間を第１の伝送周期とし、通常モードの場合に前記第１のフレーム内のデータをビット単位でインタリーブし、前記第１の伝送周期を単位として前記第１のフレームを連続的に送信する送信機と、該送信機が送信する前記第１のフレームを受信する受信機とを備えたＣＤＭＡ（Code  Division  Multiple  Access）方式の第１の通信システムと、
第２のフレーム長Ｌ２を持つ第２のフレームを第２の特定数伝送するのに要する期間であり前記第１の伝送周期の整数倍でない期間、を第２の伝送周期としてフレーム伝送を行うＧＳＭ方式の第２の通信システムと、
が共存する移動体無線通信システムにおける移動体無線通信方法において、
前記第１の通信システムの送信機が、
前記第１の伝送周期内に複数の無伝送時間を設ける圧縮モードを設定することにより、一の無伝送時間と他の無伝送時間との対応する部分同士の間隔である無伝送時間間隔が前記第２のフレーム長Ｌ２を所定の偶数で除した値に奇数を乗じた値に相当するように前記無伝送時間間隔を前記スロット数単位で決定し、該決定した無伝送時間間隔で無伝送時間を配置した前記第１のフレームを前記第１の通信システムの受信機に送信する送信ステップと、
前記第１の通信システムの受信機が、
前記無伝送時間中に、前記第２の通信システムの制御データ伝送チャネルを観測する観測ステップと、
を備えることを特徴とする移動体無線通信方法。
【請求項２】  前記送信ステップにおいて、前記第１の通信システムの送信機は、前記第１の伝送周期内に前記第１のフレーム長Ｌ１の１／２以下の長さを持つＰ個（Ｐは偶数）の無伝送時間を設けるとともに前記無伝送時間間隔が（Ｌ２／Ｐ）×（Ｐ×ｎ＋１）（ｎは自然数）に最も近くなるように前記無伝送時間間隔を前記スロット数単位で決定することを特徴とする請求項１に記載の移動体無線通信方法。
【請求項３】  所定数のスロットからなり第１のフレーム長Ｌ１を持つ第１のフレームを第１の特定数伝送するのに要する期間を第１の伝送周期とし、通常モードの場合に前記第１のフレーム内のデータをビット単位でインタリーブし、前記第１の伝送周期を単位として前記第１のフレームを連続的に送信する送信機と、該送信機が送信する前記第１フレームを受信する受信機とを備えたＣＤＭＡ（Code  Division  Multiple  Access）方式の第１の通信システムと、
第２のフレーム長Ｌ２を持つ第２のフレームを第２の特定数伝送するのに要する期間であり前記第１の伝送周期の整数倍でない期間、を第２の伝送周期としてフレーム伝送を行うＧＳＭ方式の第２の通信システムと、
が共存する移動体無線通信システムにおける前記第１の通信システムの送信機が採用する移動体無線通信方法において、
前記第１の伝送周期内に複数の無伝送時間を設ける圧縮モードを設定することにより、一の無伝送時間と他の無伝送時間との対応する部分同士の間隔である無伝送時間間隔が前記第２のフレーム長Ｌ２を所定の偶数で除した値に奇数を乗じた値に相当するように前記無伝送時間間隔を前記スロット数単位で決定し、該決定した無伝送時間間隔で無伝送時間を配置した前記第１のフレームを、
前記第１の通信システムの受信機であって、前記無伝送時間中に、前記第２の通信システムの制御データ伝送チャネルを観測する受信機、
に送信する送信ステップ、
を備えることを特徴とする移動体無線通信方法。
【請求項４】  前記送信ステップにおいて、前記第１の伝送周期内に前記第１のフレーム長Ｌ１の１／２以下の長さを持つＰ個（Ｐは偶数）の前記無伝送時間を設けるとともに前記無伝送時間間隔が（Ｌ２／Ｐ）×（Ｐ×ｎ＋１）（ｎは自然数）に最も近くなるように前記無伝送時間間隔を前記スロット数単位で決定することを特徴とする請求項３に記載の移動体無線通信方法。
【請求項５】  所定数のスロットからなり第１のフレーム長Ｌ１を持つ第１のフレームを第１の特定数伝送するのに要する期間を第１の伝送周期とし、通常モードの場合に前記第１のフレーム内のデータをビット単位でインタリーブし、前記第１の伝送周期を単位として前記第１のフレームを連続的に送信する送信機と、該送信機が送信する前記第１フレームを受信する受信機とを備えたＣＤＭＡ（Code  Division  Multiple  Access）方式の第１の通信システムと、
第２のフレーム長Ｌ２を持つ第２のフレームを第２の特定数伝送するのに要する期間であり前記第１の伝送周期の整数倍でない期間、を第２の伝送周期としてフレーム伝送を行うＧＳＭ方式の第２の通信システムと、
が共存する移動体無線通信システムにおいて、
前記第１の通信システムの送信機は、
前記第１の伝送周期内に複数の無伝送時間を設ける圧縮モードを設定することにより、一の無伝送時間と他の無伝送時間との対応する部分同士の間隔である無伝送時間間隔が前記第２のフレーム長Ｌ２を所定の偶数で除した値に奇数を乗じた値に相当するように前記無伝送時間間隔を前記スロット数単位で決定し、該決定した無伝送時間間隔で無伝送時間を配置した前記第１のフレームを前記第１の通信システムの受信機に送信し、
前記第１の通信システムの受信機は、
前記無伝送時間中に、前記第２の通信システムの制御データ伝送チャネルを観測することを特徴とする移動体無線通信システム。
【請求項６】  前記第１の通信システムの送信機は、前記第１の伝送周期内に前記第１のフレーム長Ｌ１の１／２以下の長さを持つＰ個（Ｐは偶数）の前記無伝送時間を設けるとともに前記無伝送時間間隔が（Ｌ２／Ｐ）×（Ｐ×ｎ＋１）（ｎは自然数）に最も近くなるように前記無伝送時間間隔を前記スロット数単位で決定することを特徴とする請求項５に記載の移動体無線通信システム。
【請求項７】  所定数のスロットからなり第１のフレーム長Ｌ１を持つ第１のフレームを第１の特定数伝送するのに要する期間を第１の伝送周期とし、通常モードの場合に前記第１のフレーム内のデータをビット単位でインタリーブし、前記第１の伝送周期を単位として前記第１のフレームを連続的に送信する送信機と、該送信機が送信する前記第１フレームを受信する受信機とを備えたＣＤＭＡ（Code  Division  Multiple  Access）方式の第１の通信システムと、
第２のフレーム長Ｌ２を持つ第２のフレームを第２の特定数伝送するのに要する期間であり前記第１の伝送周期の整数倍でない期間、を第２の伝送周期としてフレーム伝送を行うＧＳＭ方式の第２の通信システムと、
が共存する移動体無線通信システムにおける前記第１の通信システムの送信機において、
前記第１の伝送周期内に複数の無伝送時間を設ける圧縮モードを設定することにより、一の無伝送時間と他の無伝送時間との対応する部分同士の間隔である無伝送時間間隔が前記第２のフレーム長Ｌ２を所定の偶数で除した値に奇数を乗じた値に相当するように前記無伝送時間間隔を前記スロット数単位で決定し、該決定した無伝送時間間隔で無伝送時間を配置した前記第１のフレームを、
前記第１の通信システムの受信機であって、前記無伝送時間中に前記第２の通信システムの制御データ伝送チャネルを観測する受信機、
に送信することを特徴とする送信機。
【請求項８】  前記第１の伝送周期内に前記第１のフレーム長Ｌ１の１／２以下の長さを持つＰ個（Ｐは偶数）の前記無伝送時間を設けるとともに前記無伝送時間間隔が（Ｌ２／Ｐ）×（Ｐ×ｎ＋１）（ｎは自然数）に最も近くなるように前記無伝送時間間隔を前記スロット数単位で決定することを特徴とする請求項７に記載の送信機。
【手続補正２】
【補正対象書類名】明細書
【補正対象項目名】０１２４
【補正方法】変更
【補正の内容】
【０１２４】
以上の理由から、４分割の場合の式を次式（３）に示す。この場合には、観測時間を割り当てる第１フレーム〜第４フレームが必要となる。この式（３）は第１フレームのフレーム番号を偶数とした場合を示している。式（３）は、第２フレームを求めるための式である。実施の形態１での考え方と同様に、この式（２）は、
２ＢＰ（４ｎ＋１）＝Ｋ１（２０８ＢＰ）／（１２×１６）
４ｎ＋１＝１３Ｋ１／２４  …（３）
となる。式（３）において、Ｋ１はＵＭＴＳスーパーフレームの第２フレームのフレーム番号を示し、ｎは任意の自然数である。また、（３）式の右辺において、１フレームは１６スロットのため、分母において１２フレームに掛け合わされる。